(57)【特許請求の範囲】
【請求項１】
無線通信システムにおいて基地局（ＢＳ）で制御情報を伝送する方法であって、前記方法は、
所定の長さのビットストリームと前記ビットストリームを指示する指示子とを含むＣｙｃｌｉｃ  Ｒｅｄｕｎｄａｎｃｙ  Ｃｈｅｃｋ（ＣＲＣ）マスクによって、ＣＲＣをマスキングすることと、
前記マスキングされたＣＲＣを含む前記制御情報を少なくとも一つの移動局（ＭＳ）に伝送することと
を含み、
前記指示子は、前記ＣＲＣマスクに含まれる前記ビットストリームがランダムアクセス識別子（ＲＡＩＤ）を含むか否かを指示する、方法。
【請求項２】
前記ビットストリームが前記ＲＡＩＤを含まない場合、前記ビットストリームは、ステーションＩＤ（ＳＴＩＤ）を含む、請求項１に記載の方法。
【請求項３】
前記ＳＴＩＤは、一つのＭＳを識別する、請求項２に記載の方法。
【請求項４】
無線通信システムにおいて移動局（ＭＳ）で制御情報を受信する方法であって、前記方法は、
所定の長さのビットストリームと前記ビットストリームを指示する指示子とを含むＣｙｃｌｉｃ  Ｒｅｄｕｎｄａｎｃｙ  Ｃｈｅｃｋ（ＣＲＣ）マスクによってマスキングされたＣＲＣを含む前記制御情報を基地局（ＢＳ）から受信することと、
前記制御情報をデコーディングし、前記マスキングされたＣＲＣを検査することと
を含み、
前記指示子は、前記ＣＲＣマスクに含まれる前記ビットストリームがランダムアクセス識別子（ＲＡＩＤ）を含むか否かを指示する、方法。
【請求項５】
前記ビットストリームが前記ＲＡＩＤを含まない場合、前記ビットストリームは、ステーションＩＤ（ＳＴＩＤ）を含む、請求項４に記載の方法。
【請求項６】
前記ＳＴＩＤは、一つのＭＳを識別する、請求項５に記載の方法。
【発明の詳細な説明】
【技術分野】
【０００１】
本発明は、無線通信システムに係り、特に、無線通信システムで制御情報を送受信する方法及び装置に関するものである。
【背景技術】
【０００２】
まず、従来の無線通信システムにおいて制御情報伝送方法について説明する。ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１６ｅシステムにおいて、基地局は、ＣＤＭＡ割当情報要素（ＣＤＭＡ  ａｌｌｏｃａｔｉｏｎ  Ｉｎｆｏｒｍａｔｉｏｎ  ｅｌｅｍｅｎｔ；以下、“ＣＤＭＡ  ａｌｌｏｃａｔｉｏｎ  ＩＥ”という。）を通じて、レンジングコードを用いて帯域幅を要請する端末にリソースを割り当てる。
【０００３】
レンジングコードは、目的によって４種類に分類される。すなわち、レンジングコードは、初期レンジングのためのレンジングコード、ハンドオーバーレンジングのためのレンジングコード、定期的レンジングのためのレンジングコード及び帯域幅要請のためのレンジングコードに分類される。従来技術では、複数のレンジングコードを生成し、目的によって４種類に分類して用いるので、レンジングコードのそれぞれのインデックスが互いに異なる。
【０００４】
表１は、ＣＤＭＡ  ａｌｌｏｃａｔｉｏｎ  ＩＥを示すものである。
【０００５】
【表１】
0005492976.tif 000002
表１で、期間（ｄｕｒａｔｉｏｎ）フィールドは、基地局がＣＤＭＡ  ａｌｌｏｃａｔｉｏｎ  ＩＥを通じて端末に割り当てるリソースの量を、ＯＦＤＭＡスロットの単位で示す。反復コーディング指示（ｒｅｐｅｔｉｔｉｏｎ  ｃｏｄｉｎｇ  ｉｎｄｉｃａｔｉｏｎ）フィールドは、端末が、割り当てられたリソースを通じて伝送するデータのコーディング率を示す。
【０００６】
フレーム番号インデックス（ｆｒａｍｅ  ｎｕｍｂｅｒ  ｉｎｄｅｘ）は、端末がＣＤＭＡコードを伝送したフレームを示し、フレーム番号インデックスにフレーム番号の４個の最下位ビット（ｌｅａｓｔ  ｓｉｇｎｉｆｉｃａｎｔ  ｂｉｔ、ＬＳＢ）が用いられる。
【０００７】
レンジングコード（ｒａｎｇｉｎｇ  ｃｏｄｅ）フィールドは、端末が伝送したＣＤＭＡコードを示し、レンジングシンボル（ｒａｎｇｉｎｇ  ｓｙｍｂｏｌ）フィールドは、端末がＣＤＭＡコードを伝送する時に用いたＯＦＤＭＡシンボルを示し、レンジングサブチャネル（ｒａｎｇｉｎｇ  ｓｕｂｃｈａｎｎｅｌ）フィールドは、端末がＣＤＭＡコードを伝送する時に用いたレンジングサブチャネルを示す。
【０００８】
近年、標準化が進行しつつあるＩＥＥＥ  ８０２．１６ｍシステムにおいて、基地局は、ユニキャスト（ｕｎｉｃａｓｔ）サービス制御情報をアドバンストマップ（ａｄｖａｎｃｅｄ  ＭＡＰ；以下、“Ａ−ＭＡＰ”という。）を通じて端末に伝送する。ユニキャストサービス制御情報には、端末に基づいて決定される制御情報（ｕｓｅｒ−ｓｐｅｃｉｆｉｃ  ｃｏｎｔｒｏｌ  ｉｎｆｏｒｍａｔｉｏｎ）と、端末に基づいて決定されない制御情報（ｎｏｎ  ｕｓｅｒ−ｓｐｅｃｉｆｉｃ  ｃｏｎｔｒｏｌ  ｉｎｆｏｒｍａｔｉｏｎ）とがある。端末によって決定される情報には、リソース割当情報、ＨＡＲＱ（Ｈｙｂｒｉｄ  ａｕｔｏｍａｔｉｃ  ｒｅｐｅａｔ  ｒｅｑｕｅｓｔ）フィードバック情報、電力制御情報があり、リソース割当情報は割当Ａ−ＭＡＰを通じて伝送され、ＨＡＲＱフィードバック情報はＨＡＲＱフィードバックＡ−ＭＡＰを通じて伝送され、電力制御情報は電力制御Ａ−ＭＡＰを通じて伝送される。全てのＡ−ＭＡＰは、Ａ−ＭＡＰ領域と呼ばれる物理的リソース領域を分けて使用する。
【０００９】
Ａ−ＭＡＰ  ＩＥ（ｉｎｆｏｒｍａｔｉｏｎ  ｅｌｅｍｅｎｔ）のそれぞれは、１６ビットＣＲＣ（Ｃｙｃｌｉｃ  Ｒｅｄｕｎｄａｎｃｙ  Ｃｈｅｃｋ）を含む。
【００１０】
基地局がＡ−ＭＡＰ  ＩＥにＣＲＣを付加する方法について、図１を参照して説明する。
【００１１】
図１（ａ）は、基地局が端末ＩＤを用いてＣＲＣをマスキングする場合を示し、図１（ｂ）は、基地局がＲＡＩＤ（ｒａｎｄｏｍ  ａｃｃｅｓｓ  ＩＤ）を用いてＣＲＣをマスキングする場合を示す。ここで、端末ＩＤとは、一つの端末に割り当てられたＩＤと複数の端末に割り当てられたＩＤを共に含む概念である。
【００１２】
図１（ａ）及び図１（ｂ）に示すように、基地局は、巡回生成多項式（ｃｙｃｌｉｃ  ｇｅｎｅｒａｔｏｒ  ｐｏｌｙｎｏｍｉａｌ）を用いてＣＲＣを生成し、ＣＲＣを、１２ビット端末ＩＤまたは１２ビットＲＡＩＤを用いてマスキングし、１６ビットマスキングされたＣＲＣ（ＭＣＲＣ）を、入力データに付加する。基地局は、識別された端末（ｉｄｅｎｔｉｆｉｅｄ  ｕｓｅｒ）に伝送するＡ−ＭＡＰ  ＩＥには、端末ＩＤでマスキングされたＣＲＣ（ＭＣＲＣ）を付加し、匿名の端末（ａｎｏｎｙｍｏｕｓ  ｕｓｅｒ）に伝送するＡ−ＭＡＰ  ＩＥには、ＲＡＩＤでマスキングされたＣＲＣ（ＭＣＲＣ）を付加する。ＲＡＩＤは、ランダムアクセス（ｒａｎｄｏｍ  ａｃｃｅｓｓ）の特性によって生成される。ランダムアクセスの特性には、コードが伝送された時間インデックス、コードが伝送された周波数インデックス及び端末が伝送したコードインデックスがある。
【００１３】
図２（ａ）は、端末が、端末ＩＤを用いて、受信したＭＣＲＣをマスキングする場合を示し、図２（ｂ）は、端末ＩＤ及びＲＡＩＤを用いて、受信したＭＣＲＣをマスキングする場合を示す。
【００１４】
図２（ａ）及び図２（ｂ）に示すように、端末は、Ａ−ＭＡＰ  ＩＥを受信すると、受信したＡ−ＭＡＰ  ＩＥをデコーディングした後、巡回生成多項式を用いて、１６ビットのマスキングされたＣＲＣ（ＭＣＲＣ）を計算する。そして、１６ビットのマスキングされたＣＲＣ（ＭＣＲＣ）を、端末ＩＤを用いて確認する。具体的に、ＭＣＲＣを端末ＩＤでマスキングして０が出ると、端末は、Ａ−ＭＡＰ  ＩＥが基地局から端末に伝送されたものであることを認知し、Ａ−ＭＡＰ  ＩＥの残りのフィールドを確認する。
【００１５】
端末がランダムアクセスを試み、応答を待っている場合には、ＭＣＲＣをマスキングして０が出ないと、ＲＡＩＤでＭＣＲＣをマスキングする。ＲＡＩＤでＭＣＲＣをマスキングして０が出ると、端末は、Ａ−ＭＡＰ  ＩＥが基地局から端末に伝送されたものであること認知し、Ａ−ＭＡＰ  ＩＥの残りのフィールドを確認する。
【００１６】
ランダムアクセスを試みない端末は、端末ＩＤでＣＲＣをマスキングし、０が出ないとＡ−ＭＡＰ  ＩＥを無視し、ランダムアクセスを試みた端末は、ＲＡＩＤでＭＣＲＣをマスキングし、０が出ないとＡ−ＭＡＰ  ＩＥを無視する。
【００１７】
ところが、従来技術では、端末の端末ＩＤが他の端末のＲＡＩＤと同じ場合、及びレンジングコードを伝送した端末のＲＡＩＤが帯域幅要請コードを伝送した他の端末のＲＡＩＤと同じ場合は、端末は、他の端末に伝送されたＡ−ＭＡＰ  ＩＥを、自身に伝送されたものと認識するという問題点があった。
【００１８】
また、ＩＤが互いに同一でなくても、デコーディング誤りによって、端末は、他の端末に伝送されたＡ−ＭＡＰ  ＩＥを、自身に伝送されたものと認識する問題点が生じる。例えば、基地局は端末Ａに、端末ＡのＳＴＩＤでマスキングされたＭＣＲＣが含まれたＡ−ＭＡＰ  ＩＥを伝送したにもかかわらず、他の端末Ｂは、該Ａ−ＭＡＰ  ＩＥを誤ってデコーディングし、自身のＲＡＩＤでマスキングされたＭＣＲＣが含まれたＡ−ＭＡＰ  ＩＥと認識することがある。
【００１９】
これは、ＩＥＥＥ  ８０２．１６ｅシステムでは、同一に設計されたコードを各目的によって４個のグループに分けて使用することから、全てのコードのインデックスが異なるが、ＩＥＥＥ  ８０２．１６ｍシステムでは、帯域幅要請のためのコードとレンジングのためのコードをそれぞれ設計したため、帯域幅要請のためのコードとレンジングのためのコードのインデックスが同一になることがあり、帯域幅要請コードを受信した基地局とレンジングコードを受信した基地局は、同じタイプのＡ−ＭＡＰ  ＩＥでアップリンク割当情報を端末に伝送するからである。
【００２０】
また、これは、同じＣＲＣを状況によってそれぞれ異なる識別子でマスキングするからである。
【発明の概要】
【発明が解決しようとする課題】
【００２１】
上述のように、従来技術によれば、端末の端末ＩＤが他の端末のＲＡＩＤと同じ場合、及びレンジングコードを伝送した端末のＲＡＩＤが帯域幅要請コードを伝送した他の端末のＲＡＩＤと同じ場合、端末は、他の端末に伝送されたＡ−ＭＡＰ  ＩＥを、自身に伝送されたものと認識する問題点がある。また、ＩＤが互いに同一でなくても、デコーディング誤りによって、端末は、他の端末に伝送されたＡ−ＭＡＰ  ＩＥを、自身に伝送されたものと認識することがある。
【００２２】
本発明の目的は、端末が、他の端末に伝送されたＡ−ＭＡＰ  ＩＥを、自身に伝送されたものと認識しないようにする制御情報伝送方法を提供することにある。
【００２３】
また、本発明では、制御情報伝送において端末が效率的に制御情報を受信するためのＣＲＣマスキング手法についても説明する。
【００２４】
本発明で達成しようとする技術的課題は、上記の技術的課題に制限されず、言及していない他の技術的課題は、下の記載から、本発明の属する技術の分野における通常の知識を有する者には明らかになるであろう。
【課題を解決するための手段】
【００２５】
上記課題を達成するために、本発明の一様相に係る無線通信システムにおける制御情報伝送方法では、基地局が、ＣＲＣを、所定長さのビット列及び前記ビット列を指示する指示子を含むＣＲＣマスクでマスキングする段階と、前記マスキングされたＣＲＣを含む制御情報を一つ以上の端末に伝送する段階と、を行い、前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせることを特徴とする。
【００２６】
ここで、前記ビット列が前記ＲＡＩＤを含まない場合、前記ビット列は端末ＩＤ（Ｓｔａｔｉｏｎ  ＩＤ、ＳＴＩＤ）を含むことができる。前記ＳＴＩＤは、一つの端末または複数の端末を識別するのに用いられてよい。
【００２７】
また、前記ビット列は一つ以上の追加ビットをさらに含むことができる。前記追加ビットは、前記ＳＴＩＤが一つの端末を識別するのに用いられるＳＴＩＤなのか、複数の端末を識別するのに用いられるＳＴＩＤなのかを表すことができる。
【００２８】
前記制御情報は、ＣＤＭＡ割当Ａ−ＭＡＰ  ＩＥ（ＣＤＭＡ  Ａｌｌｏｃａｔｉｏｎ  Ａ−ＭＡＰ  ＩＥ）でよい。
【００２９】
ここで、前記ＣＲＣ及び前記ＣＲＣマスクは１６ビット長を、前記ＲＡＩＤは１５ビット長を、そして前記ＳＴＩＤは１２ビット長を有することができる。
【００３０】
上記の実施形態は、基地局が端末からレンジングコードを受信する場合に適用でき、この時前記制御情報は、ＲＡＩＤを前記ビット列に含むＣＲＣマスクでマスキングされたＣＲＣを含み、前記レンジングコードを通じて前記端末が要請したリソースを前記端末に割り当てる情報でよい。前記ＲＡＩＤは、レンジングのためのＲＡＩＤであり、前記ＲＡＩＤは、前記レンジングコードが伝送された時間のインデックス、前記レンジングコードが伝送された周波数のインデックス及び前記レンジングコードのインデックスによって生成されてよい。
【００３１】
また、上記の実施形態は、基地局が端末から帯域幅要請コードを受信する場合に適用でき、この時、前記制御情報は、前記ビット列にＲＡＩＤを含むＣＲＣマスクでマスキングされたＣＲＣを含み、前記帯域幅要請コードを通じて前記端末が要請したリソースを前記端末に割り当てる情報でよい。前記ＲＡＩＤは、帯域幅要請のためのＲＡＩＤであり、前記ＲＡＩＤは、前記帯域幅要請コードが伝送された時間のインデックス、前記帯域幅要請コードが伝送された周波数のインデックス及び前記帯域幅要請コードのインデックスによって生成されてよい。
【００３２】
一方、上記課題を解決するために、本発明の他の様相に係る無線通信システムにおける制御情報受信方法では、端末が、所定長さのビット列及び前記ビット列を指示する指示子を含むＣＲＣマスクでマスキングされたＣＲＣを含む制御情報を基地局から受信する段階と、前記制御情報をデコーディングし、前記マスキングされたＣＲＣを確認する段階と、を行うことができ、ここで、前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせることを特徴とする。
【００３３】
また、上記課題を解決するために、本発明のさらに他の様相に係る無線通信システムにおいて制御情報を伝送する基地局は、プロセッサ、受信モジュール、伝送モジュール、及び外部から受信する無線信号を前記受信モジュールに伝送し、前記伝送モジュールから伝達される無線信号を外部に伝送するためのアンテナを含んでなり、前記プロセッサは、ＣＲＣを所定長さのビット列及び前記ビット列を指示する指示子を含むＣＲＣマスクでマスキングし、前記マスキングされたＣＲＣを含む制御情報を前記伝送モジュールを介して一つ以上の端末に伝送するように制御し、前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせることを特徴とする。
【００３４】
なお、上記課題を解決するために、本発明のさらに他の様相に係る無線通信システムにおいて制御情報を受信する端末は、端末はプロセッサ、受信モジュール、伝送モジュール、及び外部から受信する無線信号を前記受信モジュールに伝送し、前記伝送モジュールから伝達される無線信号を外部に伝送するためのアンテナを含んでなり、前記プロセッサは、所定長さのビット列及び前記ビット列を指示する指示子を含むＣＲＣマスクでマスキングされたＣＲＣを含む制御情報を、前記受信モジュールを介して基地局から受信し、前記制御情報をデコーディングし、前記マスキングされたＣＲＣを確認するように制御し、前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせることを特徴とする。
（項目１）
無線通信システムにおいて基地局が制御情報を伝送する方法であって、
ＣＲＣを、所定長さのビット列及び前記ビット列を指示する指示子を含むＣＲＣマスクでマスキングし、
前記マスキングされたＣＲＣを含む制御情報を、一つ以上の端末に伝送すること
を含み、
前記指示子は、前記ＣＲＣマスクに含まれる前記ビット列がランダムアクセスＩＤ（Ｒａｎｄｏｍ  ＡｃｃｅｓｓＩＤ、ＲＡＩＤ）を含んでいるか否かを知らせる、制御情報伝送方法。
（項目２）
前記ビット列が前記ＲＡＩＤを含まない場合、前記ビット列は端末ＩＤ（Ｓｔａｔｉｏｎ  ＩＤ、ＳＴＩＤ）を含む、項目１に記載の制御情報伝送方法。
（項目３）
前記ＳＴＩＤは、一つの端末または複数の端末を識別するのに用いられる、項目２に記載の制御情報伝送方法。
（項目４）
前記ビット列は一つ以上の追加ビットをさらに含む、項目２に記載の制御情報伝送方法。
（項目５）
前記追加ビットは、前記ＳＴＩＤが一つの端末を識別するのに用いられるＳＴＩＤなのか、複数の端末を識別するのに用いられるＳＴＩＤなのかを表す、項目４に記載の制御情報伝送方法。
（項目６）
前記制御情報は、ＣＤＭＡ割当Ａ−ＭＡＰ  ＩＥ（ＣＤＭＡ  Ａｌｌｏｃａｔｉｏｎ  Ａ−ＭＡＰ  ＩＥ）である、項目１に記載の制御情報伝送方法。
（項目７）
前記端末からレンジングコードを受信することをさらに含み、
前記制御情報は、前記ビット列が前記ＲＡＩＤを含むＣＲＣマスクでマスキングされたＣＲＣを含み、前記レンジングコードを通じて前記端末が要請したリソースを前記端末に割り当てる情報である、項目１に記載の制御情報伝送方法。
（項目８）
前記ＲＡＩＤは、レンジングのためのＲＡＩＤであり、
前記ＲＡＩＤは、前記レンジングコードが伝送された時間のインデックス、前記レンジングコードが伝送された周波数のインデックス、及び前記レンジングコードのインデックスによって生成される、項目７に記載の制御情報伝送方法。
（項目９）
前記端末から帯域幅要請コードを受信することをさらに含み、
前記制御情報は、ビット列が前記ＲＡＩＤを含むＣＲＣマスクでマスキングされたＣＲＣを含み、前記帯域幅要請コードを通じて前記端末が要請したリソースを前記端末に割り当てる情報である、項目１に記載の制御情報伝送方法。
（項目１０）
前記ＲＡＩＤは、帯域幅要請のためのＲＡＩＤであり、
前記ＲＡＩＤは、前記帯域幅要請コードが伝送された時間のインデックス、前記帯域幅要請コードが伝送された周波数のインデックス、及び前記帯域幅要請コードのインデックスによって生成される、項目９に記載の制御情報伝送方法。
（項目１１）
無線通信システムにおいて端末が制御情報を受信する方法であって、
所定長さのビット列及び前記ビット列を指示する指示子を含むＣＲＣマスクでマスキングされたＣＲＣを含む制御情報を基地局から受信し、
前記制御情報をデコーディングし、前記マスキングされたＣＲＣを確認すること
を含み、
前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせる、制御情報受信方法。
（項目１２）
前記ビット列が前記ＲＡＩＤを含まない場合、前記ビット列は端末ＩＤ（Ｓｔａｔｉｏｎ  ＩＤ、ＳＴＩＤ）を含む、項目１１に記載の制御情報受信方法。
（項目１３）
前記ＳＴＩＤは、一つの端末または複数の端末を識別するのに用いられる、項目１２に記載の制御情報受信方法。
（項目１４）
前記ビット列は、一つ以上の追加ビットをさらに含む、項目１２に記載の制御情報受信方法。
（項目１５）
前記追加ビットは、前記ＳＴＩＤが一つの端末を識別するのに用いられるＳＴＩＤなのか、複数の端末を識別するのに用いられるＳＴＩＤなのかを表す、項目１４に記載の制御情報受信方法。
（項目１６）
前記制御情報は、ＣＤＭＡ割当Ａ−ＭＡＰ  ＩＥ（ＣＤＭＡ  Ａｌｌｏｃａｔｉｏｎ  Ａ−ＭＡＰ  ＩＥ）である、項目１１に記載の制御情報受信方法。
（項目１７）
無線通信システムにおいて制御情報を伝送する基地局であって、
プロセッサ、受信モジュール、伝送モジュール、及び外部から受信する無線信号を前記受信モジュールに伝送し、前記伝送モジュールから伝達される無線信号を外部に伝送するためのアンテナを含み、
前記プロセッサは、ＣＲＣを、所定長さのビット列及び前記ビット列を指示する指示子を含むＣＲＣマスクでマスキングし、前記マスキングされたＣＲＣを含む制御情報を、前記伝送モジュールを介して一つ以上の端末に伝送するように制御し、
前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせる、基地局。
（項目１８）
無線通信システムにおいて制御情報を受信する端末であって、
プロセッサ、受信モジュール、伝送モジュール、及び外部から受信される無線信号を前記受信モジュールに伝送し、前記伝送モジュールから伝達される無線信号を外部に伝送するためのアンテナを含み、
前記プロセッサは、所定長さのビット列及び前記ビット列を指示する指示子を含むＣＲＣマスクでマスキングされたＣＲＣを含む制御情報を、前記受信モジュールを介して基地局から受信し、前記制御情報をデコーディングし、前記マスキングされたＣＲＣを確認するように制御し、
前記指示子は、前記ＣＲＣマスクに含まれる前記ビット列がランダムアクセスＩＤ（Ｒａｎｄｏｍ  Ａｃｃｅｓｓ  ＩＤ、ＲＡＩＤ）を含んでいるか否かを知らせる、端末。
【発明の効果】
【００３５】
本発明の実施例によれば、基地局がマスキング指示子を用いてマスキングされたＣＲＣを制御情報に含めて伝送することによって、端末が他の端末に伝送された制御情報を自身に伝送されたものと認識する問題を解決することができる。
【００３６】
また、上記の方式によるＣＲＣマスクを用いることによって、端末は、該当の制御信号に適用されたＣＲＣマスキングの類型を効率よく確認することができる。
【００３７】
本発明から得られる効果は、以上に言及した効果に制限されず、言及していない他の効果は、下の記載から、本発明の属する技術の分野における通常の知識を有する者には明らかになるであろう。
【図面の簡単な説明】
【００３８】
【図１】（ａ）は、基地局が端末ＩＤを用いてＣＲＣをマスキングする場合を示し、（ｂ）は、基地局がＲＡＩＤ（ｒａｎｄｏｍ  ａｃｃｅｓｓ  ＩＤ）を用いてＣＲＣをマスキングする場合を示す。
【図２】（ａ）は、端末が端末ＩＤを用いて受信したＣＲＣをマスキングする場合を示し、（ｂ）は、端末ＩＤ及びＲＡＩＤを用いて受信したＣＲＣをマスキングする場合を示す。
【図３】（ａ）は、基地局が端末ＩＤ及びマスキング指示子でＣＲＣをマスキングする場合、本発明の実施例による制御情報伝送方法を示し、（ｂ）は、端末ＩＤ及びマスキング指示子でマスキングされたＣＲＣを含む制御情報を受信する方法を示す。
【図４】（ａ）は、基地局がレンジングのためのＲＡＩＤ及びマスキング指示子でＣＲＣをマスキングする場合、本発明の実施例による制御情報伝送方法を示し、（ｂ）は、レンジングのためのＲＡＩＤ及びマスキング指示子でマスキングされたＣＲＣを含む制御情報を受信する方法を示す。
【図５】専用ハンドオーバーレンジングコードを受信した基地局が、該専用ハンドオーバーレンジングコードを割り当てた端末に与えた端末ＩＤでマスキングしたＣＲＣが含まれた一般的に伝送されるＡ−ＭＡＰ  ＩＥを通じてリソースを割り当てる手順を示す図である。
【図６】（ａ）は、基地局が帯域幅要請のためのＲＡＩＤ及びマスキング指示子でＣＲＣをマスキングする場合、本発明の実施例による制御情報伝送方法を示し、（ｂ）は、帯域幅要請のためのＲＡＩＤ及びマスキング指示子でマスキングされたＣＲＣを含む制御情報を受信する方法を示す。
【図７】（ａ）は、基地局が１６ビット端末ＩＤでＣＲＣをマスキングする場合、本発明の実施例による制御情報伝送方法を示し、（ｂ）は、端末が１６ビット端末ＩＤでマスキングされたＣＲＣを含む制御情報を受信する方法を示す。
【図８】本発明の他の実施例であって、本発明の実施例を実現できる移動端末及び基地局の構成を示す図である。
【発明を実施するための形態】
【００３９】
以下、添付の図面を参照しつつ、本発明の実施例について、本発明の属する技術の分野における通常の知識を有する者が容易に実施できるように詳細に説明する。ただし、本発明は、様々な別の形態に具現することができ、ここで説明する実施の形態に限定されない。そして、図面中、本発明を明確に説明するために、説明と関連しない部分は省略し、明細書全体を通じて類似の部分には類似の図面符号を付ける。
【００４０】
明細書全体において、ある部分がある構成要素を“含む”とすれば、これは、特別な言及がない限り、他の構成要素を除外するという意味ではなく、他の構成要素をさらに含むことが可能であるということを意味する。また、明細書に記載された“…部”、“…機”、“モジュール”などの用語は、少なくとも一つの機能や動作を処理する単位を意味し、これは、ハードウェア、ソフトウェア、またはハードウェアとソフトウェアとの結合で具現することができる。
【００４１】
本発明の実施例による制御情報伝送方法について、図３乃至図６を参照して説明する。
【００４２】
本発明の実施例では、制御情報に付加されるＣＲＣを、端末ＩＤとマスキング指示子（ｍａｓｋｉｎｇ  ｉｎｄｉｃａｔｏｒ）、またはＲＡＩＤとマスキング指示子でマスキングする。以下の説明において、端末ＩＤは、一つの端末に割り当てられたＩＤと複数の端末に割り当てられたＩＤの両方を含む概念とする。
【００４３】
まず、マスキング指示子について説明する。本発明の実施例に係る無線通信システムでは１６ビットＣＲＣを用い、端末ＩＤ及びＲＡＩＤは１２ビットであるから、マスキング指示子は最大４ビットまで用いることができる。表２は、本発明の実施例に係るマスキング指示子の一例を示すものである。
【００４４】
【表２】
0005492976.tif 000003
マスキング指示子は、ＣＲＣマスキングに用いられる識別子（ｉｄｅｎｔｉｆｉｅｒ）を指示する。すなわち、表１のように、マスキング指示子は、ＣＲＣが１２ビット端末ＩＤでマスキングされるか、ＣＲＣがレンジングのためのランダムアクセスＩＤ（ｒａｎｄｏｍ  ａｃｃｅｓｓＩＤ；以下、“ＲＡＩＤ”という。）でマスキングされるか、ＣＲＣが帯域幅要請のためのＲＡＩＤでマスキングされるか、ＣＲＣが１６ビット端末ＩＤでマスキングされるかを表す。
【００４５】
ＲＡＩＤは、コードが伝送された時間インデックス、コードが伝送された周波数インデックス及び端末が伝送したコードインデックスなどのランダムアクセスの特性によって生成される。端末が基地局にレンジングコードを伝送した場合、基地局が生成したＲＡＩＤをレンジングのためのＲＡＩＤとし、端末が基地局に帯域幅要請コードを伝送した場合、基地局が生成したＲＡＩＤを帯域幅要請のためのＲＡＩＤとする。
【００４６】
基地局が端末に１６ビットの端末ＩＤを割り当てる場合、１６ビット端末ＩＤは、マスキング指示子の位置にマスキング指示子００１１を含むことができる。例えば、マスキング指示子が最上位ビット（ｍｏｓｔ  ｓｉｇｎｉｆｉｃａｎｔ  ｂｉｔ；以下、“ＭＳＢ”という。）に位置するとすれば、１６ビット端末ＩＤは、０ｂ００１１ｘｘｘｘｘｘｘｘｘｘｘｘの形態となり、よって、００１１は、マスキング指示子と端末ＩＤの一部の役割を兼ねることとなる。
【００４７】
マスキング指示子は、ＣＲＣをマスキングする１６ビットにおいて、ＭＳＢ、ＬＳＢまたは任意の位置に含まれてよい。
【００４８】
そして、表１のように、マスキング指示子が４個であれば、２ビットで４個のマスキング指示子を全て表現できるから、４ビットにおける残り２ビットを用いて他のフィールドを表すこともできる。
【００４９】
まず、１２ビット端末ＩＤ及びマスキング指示子でＣＲＣをマスキングする場合、本発明の実施例による制御情報伝送方法について図３を参照して説明する。
【００５０】
図３（ａ）は、基地局が端末ＩＤ及びマスキング指示子でＣＲＣをマスキングする場合、本発明の実施例による制御情報伝送方法を示し、図３（ｂ）は、端末ＩＤ及びマスキング指示子でマスキングされたＣＲＣを含む制御情報を受信する方法を示す。
【００５１】
図３（ａ）を参照すると、基地局は、巡回生成多項式（ｃｙｃｌｉｃ  ｇｅｎｅｒａｔｏｒ  ｐｏｌｙｎｏｍｉａｌ）を用いてＣＲＣを生成し、ＣＲＣを１２ビット端末ＩＤ及びマスキング指示子０ｂ００００を用いてマスキングする。そして、１６ビットマスキングされたＣＲＣ（ＭＣＲＣ）を含む制御情報を端末に伝送する。この時、制御情報は、Ａ−ＭＡＰ  ＩＥでよい。本発明の実施例では、制御情報がＡ−ＭＡＰ  ＩＥであるとして説明するが、これに限定されるものではない。
【００５２】
図３（ｂ）を参照すると、Ａ−ＭＡＰ  ＩＥを受信した端末は、Ａ−ＭＡＰ  ＩＥをデコーディングした後、巡回生成多項式を用いて１６ビットＭＣＲＣを計算する。そして、ランダムアクセス手順を行わない端末は、１６ビットＭＣＲＣを端末ＩＤ及びマスキング指示子０ｂ００００でマスキングする。
【００５３】
端末はランダムアクセス手順においてレンジングコードまたは帯域幅要請コードを伝送し、レンジングコードまたは帯域幅要請コードを受信した基地局は、レンジングのためのＲＡＩＤ及びマスキング指示子０ｂ０００１でマスキングされたり、帯域幅要請のためのＲＡＩＤ及びマスキング指示子０ｂ００１０でマスキングされたＣＲＣを含むＡ−ＭＡＰ  ＩＥを、端末に伝送する。そして、レンジングコードまたは帯域幅要請コードを伝送しなかった端末にＡ−ＭＡＰ  ＩＥを伝送する場合には、ＣＲＣを端末ＩＤ及びマスキング指示子０ｂ００００でマスキングしてＡ−ＭＡＰ  ＩＥに付加する。
【００５４】
したがって、ランダムアクセス手順を行わない端末は、１６ビットＭＣＲＣを端末ＩＤ及びマスキング指示子０ｂ００００でマスキングする。
【００５５】
端末は、ＭＣＲＣをマスキングして０が出ると、Ａ−ＭＡＰ  ＩＥが基地局から端末に伝送されたものであることを認知し、Ａ−ＭＡＰ  ＩＥの残りのフィールドを確認する。一方、ＭＣＲＣをマスキングして０が出ないと、Ａ−ＭＡＰ  ＩＥを無視する。
【００５６】
次に、レンジングのためのＲＡＩＤ及びマスキング指示子でＣＲＣをマスキングする場合、本発明の実施例による制御情報伝送方法について図４を参照して説明する。
【００５７】
図４（ａ）は、基地局がレンジングのためのＲＡＩＤ及びマスキング指示子でＣＲＣをマスキングする場合、本発明の実施例による制御情報伝送方法を示し、図４（ｂ）は、レンジングのためのＲＡＩＤ及びマスキング指示子でマスキングされたＣＲＣを含む制御情報を受信する方法を示す。
【００５８】
端末からレンジングコードを受信した基地局は、レンジングコードを通じて端末が要請したリソースを、ＣＤＭＡ割当Ａ−ＭＡＰ  ＩＥ（ＣＤＭＡ  ａｌｌｏｃａｔｉｏｎ  Ａ−ＭＡＰ  ＩＥ）を通じて端末に割り当てる。この場合、基地局は、ＣＤＭＡ割当Ａ−ＭＡＰ  ＩＥに、レンジングのためのＲＡＩＤ及びマスキング指示子０ｂ０００１を用いてマスキングされたＣＲＣ（ＭＣＲＣ）を含めて、端末に伝送する。
【００５９】
図４（ａ）を参照すると、基地局は、巡回生成多項式を用いてＣＲＣを生成し、ＣＲＣを、レンジングのためのＲＡＩＤ及びマスキング指示子０ｂ０００１を用いてマスキングする。そして、１６ビットマスキングされたＣＲＣを含むＣＤＭＡ割当Ａ−ＭＡＰ  ＩＥを端末に伝送する。
【００６０】
初期接続のためにレンジングコードを基地局に伝送した端末が、ＣＤＭＡ割当Ａ−ＭＡＰ  ＩＥを受信する方法について説明する。図４（ｂ）に示すように、当該端末は、ＣＤＭＡ割当Ａ−ＭＡＰ  ＩＥをデコーディングした後、巡回生成多項式を用いて１６ビットＭＣＲＣを計算する。そして、ＭＣＲＣをレンジングのためのＲＡＩＤ及びマスキング指示子０ｂ０００１を用いてマスキングする。
【００６１】
そして、端末は、ＭＣＲＣをマスキングして０が出ると、ＣＤＭＡ割当Ａ−ＭＡＰ  ＩＥが基地局から端末に伝送されたものであることを認知し、ＣＤＭＡ割当Ａ−ＭＡＰ  ＩＥの残りのフィールドを確認する。一方、ＭＣＲＣをマスキングして０が出ないと、ＣＤＭＡ割当Ａ−ＭＡＰ  ＩＥを無視する。
【００６２】
初期接続のためにレンジングコードを基地局に伝送した端末は、まだ端末ＩＤを受け取っていないから、端末ＩＤを用いてＡ−ＭＡＰ  ＩＥをマスキングしない。
【００６３】
ハンドオーバーのためにレンジングコードを基地局に伝送した端末が、ＣＤＭＡ割当Ａ−ＭＡＰ  ＩＥを受信する方法について説明する。図４（ｂ）に示すように、端末は、ＣＤＭＡ割当Ａ−ＭＡＰ  ＩＥをデコーディングした後、巡回生成多項式を用いて１６ビットＭＣＲＣを計算する。そして、ターゲット基地局から専用ハンドオーバーレンジングコード及び端末ＩＤが与えられるか否かによって、端末は、異なる手順を行う。専用ハンドオーバーレンジングコード及び端末ＩＤが与えられなかった端末は、上述した初期接続と同様に動作する。一方、専用ハンドオーバーレンジングコード及び端末ＩＤが与えられた端末は、受信したＡ−ＭＡＰ  ＩＥが、端末が伝送したレンジングコードに対する応答として伝送されたＡ−ＭＡＰ  ＩＥなのか、一般的に伝送されたＡ−ＭＡＰ  ＩＥなのかがわからないため、一応ＭＣＲＣを端末ＩＤ及びマスキング指示子０ｂ００００でマスキングする。端末は、ＭＣＲＣをマスキングして０が出ると、Ａ−ＭＡＰ  ＩＥが基地局から端末に伝送されたものであることを認知し、Ａ−ＭＡＰ  ＩＥの残りのフィールドを確認し、ＭＣＲＣをマスキングして０が出ないと、ＣＲＣをレンジングのためのＲＡＩＤ及びマスキング指示子０ｂ０００１を用いてマスキングする。
【００６４】
そして、端末は、ＭＣＲＣをマスキングして０が出ると、ＣＤＭＡ割当Ａ−ＭＡＰ  ＩＥが基地局から端末に伝送されたものであることを認知し、ＣＤＭＡ割当Ａ−ＭＡＰ  ＩＥの残りのフィールドを確認し、ＭＣＲＣをマスキングして０が出ないと、ＣＤＭＡ割当Ａ−ＭＡＰ  ＩＥを無視する。
【００６５】
この時、基地局が、専用ハンドオーバーレンジングコード及び端末ＩＤの与えられた端末が伝送したレンジングコードに対する応答として、ＲＡＩＤに代えて該当の端末ＩＤでマスキングした一般的に伝送されるＡ−ＭＡＰ  ＩＥ（例えば、ダウンリンクリソース割当の場合は“ＤＬ  ｂａｓｉｃ  ａｓｓｉｇｎｍｅｎｔ  Ａ−ＭＡＰ  ＩＥ”、アップリンクリソース割当の場合は“ＵＬ  ｂａｓｉｃ  ａｓｓｉｇｎｍｅｎｔ  Ａ−ＭＡＰ  ＩＥ”）を送るとあらかじめ定義したとすれば、端末は、自身の端末ＩＤのみを用いて、Ａ−ＭＡＰ  ＩＥが基地局から端末に伝送されたものであることを把握すればよい。
【００６６】
図５は、専用ハンドオーバーレンジングコードを受信した基地局が、該専用ハンドオーバーレンジングコードを割り当てた端末に与えた端末ＩＤでマスキングしたＣＲＣが含まれた一般的に伝送されるＡ−ＭＡＰ  ＩＥを通じてリソースを割り当てる手順を示す。
【００６７】
図５において、基地局は、ハンドオーバーにおいてターゲット基地局であるという意味から“ＴＡＢＳ（Ｔａｒｇｅｔ  Ａｄｖａｎｃｅｄ  ＢＳ）”、端末は“ＡＭＳ（Ａｄｖａｎｃｅｄ  ＭＳ）”と表記した。専用ハンドオーバーレンジングコードを受信した基地局は、当該専用ハンドオーバーレンジングコードを割り当てた端末が、ＡＡＩ−ＲＮＧ−ＲＥＱメッセージ（Ａｄｖａｎｃｅｄ  Ａｉｒ  Ｉｎｔｅｒｆａｃｅ  Ｒａｎｇｉｎｇ  Ｒｅｑｕｅｓｔ  ｍｅｓｓａｇｅ）を伝送できるように、当該端末に与えた端末ＩＤでマスキングしたＣＲＣが含まれたアップリンク基本割当Ａ−ＭＡＰ  ＩＥ（ＵＬ  ｂａｓｉｃ  ａｓｓｉｇｎｍｅｎｔ  Ａ−ＭＡＰ  ＩＥ）を伝送することができる。この時、基地局は、専用ハンドオーバーレンジングコードを受信したか否かを表すＲＮＧ−ＡＣＫメッセージを伝送することができる。アップリンク基本割当Ａ−ＭＡＰ  ＩＥを受信した端末は、該Ａ−ＭＡＰ  ＩＥ中の割り当てられたアップリンクリソースを通じてＡＡＩ−ＲＮＧ−ＲＥＱメッセージ（Ａｄｖａｎｃｅｄ  Ａｉｒ  Ｉｎｔｅｒｆａｃｅ  Ｒａｎｇｉｎｇ  Ｒｅｓｐｏｎｓｅ  ｍｅｓｓａｇｅ）を伝送することができる。これを受信した基地局は、当該端末に伝送するＡＡＩ−ＲＮＧ−ＲＳＰメッセージがいずれのダウンリンクリソース領域を通じて伝達されるかを知らせるために、当該端末に与えた端末ＩＤでマスキングしたＣＲＣが含まれたダウンリンク基本割当Ａ−ＭＡＰ  ＩＥ（ＤＬ  ｂａｓｉｃ  ａｓｓｉｇｎｍｅｎｔ  Ａ−ＭＡＰ  ＩＥ）を伝送することができる。また、基地局は、当該Ａ−ＭＡＰ  ＩＥ中のダウンリンクリソースを通じてＡＡＩ−ＲＮＧ−ＲＳＰメッセージを伝送することができる。
【００６８】
上記の実施形態で基地局が伝送するＡ−ＭＡＰ  ＩＥは、本発明の様々な実施形態に係るＣＲＣマスクを用いてマスキングされればよい。
【００６９】
次に、帯域幅要請のためのＲＡＩＤ及びマスキング指示子でＣＲＣをマスキングする場合、本発明の実施例による制御情報伝送方法について図６を参照して説明する。
【００７０】
図６（ａ）は、基地局が帯域幅要請のためのＲＡＩＤ及びマスキング指示子でＣＲＣをマスキングする場合、本発明の実施例による制御情報伝送方法を示し、図６（ｂ）は、帯域幅要請のためのＲＡＩＤ及びマスキング指示子でマスキングされたＣＲＣを含む制御情報を受信する方法を示す。
【００７１】
端末から帯域幅要請コードを受信した基地局は、帯域幅要請コードを通じて端末が要請したリソースを、ＣＤＭＡ割当Ａ−ＭＡＰ  ＩＥ（ＣＤＭＡ  ａｌｌｏｃａｔｉｏｎ  Ａ−ＭＡＰ  ＩＥ）を通じて端末に割り当てる。この時、基地局は、ＣＤＭＡ割当Ａ−ＭＡＰ  ＩＥに帯域幅要請のためのＲＡＩＤ及びマスキング指示子０ｂ００１０を用いてマスキングされたＣＲＣを含めて端末に伝送する。
【００７２】
図６（ａ）を参照すると、基地局は、巡回生成多項式を用いてＣＲＣを生成し、ＣＲＣを、帯域幅要請のためのＲＡＩＤ及びマスキング指示子０ｂ００１０を用いてマスキングする。そして、１６ビットマスキングされたＣＲＣ（ＭＣＲＣ）を含むＣＤＭＡ割当Ａ−ＭＡＰ  ＩＥを、端末に伝送する。
【００７３】
図６（ｂ）を参照すると、端末は、ＣＤＭＡ割当Ａ−ＭＡＰ  ＩＥをデコーディングした後、巡回生成多項式を用いて１６ビットＭＣＲＣを計算する。そして、端末は、受信したＡ−ＭＡＰ  ＩＥが、端末が伝送した帯域幅要請コードに対する応答として伝送されたＡ−ＭＡＰ  ＩＥなのか、一般的に伝送されたＡ−ＭＡＰ  ＩＥなのかがわからないので、一応ＭＣＲＣを端末ＩＤ及びマスキング指示子０ｂ００００でマスキングする。端末は、ＭＣＲＣをマスキングして０が出ると、Ａ−ＭＡＰ  ＩＥが基地局から端末に伝送されたものであることを認知し、Ａ−ＭＡＰ  ＩＥの残りのフィールドを確認し、一方、ＭＣＲＣをマスキングして０が出ないと、ＭＣＲＣを帯域幅要請のためのＲＡＩＤ及びマスキング指示子０ｂ００１０を用いてマスキングする。
【００７４】
そして、端末は、ＭＣＲＣをマスキングして０が出ると、ＣＤＭＡ割当Ａ−ＭＡＰ  ＩＥが基地局から端末に伝送されたものであることを認知し、ＣＤＭＡ割当Ａ−ＭＡＰ  ＩＥの残りのフィールドを確認し、一方、ＭＣＲＣをマスキングして０が出ないと、ＣＤＭＡ割当Ａ−ＭＡＰ  ＩＥを無視する。
【００７５】
次に、１６ビット端末ＩＤでＣＲＣをマスキングする場合、本発明の実施例による制御情報伝送方法について図７を参照して説明する。
【００７６】
図７（ａ）は、基地局が１６ビット端末ＩＤでＣＲＣをマスキングする場合、本発明の実施例による制御情報伝送方法を示し、図７（ｂ）は、端末が１６ビット端末ＩＤでマスキングされたＣＲＣを含む制御情報を受信する方法を示す。
【００７７】
図７（ａ）を参照すると、基地局は、巡回生成多項式を用いてＣＲＣを生成し、ＣＲＣをマスキング指示子０ｂ００１１を含む１６ビット端末ＩＤを用いてマスキングする。そして、１６ビットマスキングされたＣＲＣ（ＭＣＲＣ）を含む制御情報を、端末に伝送する。この時、制御情報はＡ−ＭＡＰ  ＩＥでよい。
【００７８】
図７（ｂ）を参照すると、Ａ−ＭＡＰ  ＩＥを受信した端末は、Ａ−ＭＡＰ  ＩＥをデコーディングした後、巡回生成多項式を用いて１６ビットＭＣＲＣを計算する。そして、ランダムアクセス手順を行わない１６ビット端末ＩＤを持つ端末は、１６ビットＭＣＲＣを、マスキング指示子０ｂ００１１を含む端末ＩＤでマスキングする。
【００７９】
端末は、ＭＣＲＣをマスキングして０が出ると、Ａ−ＭＡＰ  ＩＥが基地局から端末に伝送されたものであることを認知し、Ａ−ＭＡＰ  ＩＥの残りのフィールドを確認し、一方、ＭＣＲＣをマスキングして０が出ないと、Ａ−ＭＡＰ  ＩＥを無視する。
【００８０】
以上の実施例では、端末ＩＤは簡単に一つの端末を識別するものとして説明したが、複数の端末を識別するために用いられてもよい。すなわち、複数の端末に伝送される放送情報の場合、該放送情報伝送のための放送割当Ａ−ＭＡＰ  ＩＥが伝送されてよい。この放送割当Ａ−ＭＡＰ  ＩＥのマスクに用いられる端末ＩＤは、複数の端末を識別するための識別子であり、ＣＲＣマスクは、該放送割当Ａ−ＭＡＰ  ＩＥのマスクに用いられる端末ＩＤを用いて生成されてもよい。
【００８１】
下記の表３は、本発明の実施例に係るマスキング指示子の他の例を示すものである。
【００８２】
【表３】
0005492976.tif 000004
マスキング指示子と端末ＩＤあるいはＲＡＩＤとの総長が、ＣＲＣ長（１６ビット）よりも小さいと、それだけのビットは他のビットに設定できる。例えば、本実施例で、上記の表３のように、１ビットマスキング指示子と１２ビット端末ＩＤが用いられる場合、ＣＲＣは１ビットマスキング指示子、０の値を有する３ビット及び１２ビット端末ＩＤを用いてマスキングされてよい。ここで、３ビットは、当該ＣＲＣをマスキングする端末ＩＤが、一つの端末に割り当てられたＩＤなのか、複数の端末に割り当てられたＩＤなのかを区別する機能を有することもできる。
【００８３】
マスキング指示子は、ＣＲＣマスキングに用いられる識別子を指示する。すなわち、上記の表３のように、マスキング指示子は、ＣＲＣが端末ＩＤでマスキングされるか、ＣＲＣがＲＡＩＤでマスキングされるかを表すことができる。ＲＡＩＤは、端末が基地局にレンジングコードを伝送して生成されたり、帯域幅要請コードを伝送して生成されたりすることができる。上記の表２では、ＣＲＣが、レンジング過程で生成されたＲＡＩＤでマスキングされるか、あるいは帯域幅要請過程で生成されたＲＡＩＤでマスキングされるかをマスキング指示子が知らせるのに対し、上記の表３ではそれらを区別しない。
【００８４】
本実施例で、端末がレンジングコードを伝送する場合と帯域幅要請を行う場合におけるプロセスは、端末がレンジングコードを伝送するか、あるいは帯域幅要請コードを伝送するかのみ異なる以外は、同様の方式で行われてよい。したがって、以下では、端末がレンジングコードを伝送した場合について説明する。
【００８５】
表２と関連して上述した例では、ＲＡＩＤが１２ビットであるとした。しかし、１２ビットのＲＡＩＤは、基地局と端末間のランダムアクセスを行うにあたり、固有性（ｕｎｉｑｕｅｎｅｓｓ）が保障されるには短いことがある。したがって、表３のように、１ビット長のＣＲＣマスクタイプ識別子を用いる場合、１５ビットのＲＡＩＤを用いるとする。
【００８６】
端末からレンジングコードを受信した基地局は、レンジングコードを通じて端末が要請したリソースを、ＣＤＭＡ割当Ａ−ＭＡＰ  ＩＥ（ＣＤＭＡ  ａｌｌｏｃａｔｉｏｎ  Ａ−ＭＡＰ  ＩＥ）を通じて端末に割り当てることができる。この時、基地局は、レンジング過程で生成されたＲＡＩＤ及びマスキング指示子０ｂ１を用いてマスキングされたＣＲＣをＣＤＭＡ割当Ａ−ＭＡＰ  ＩＥに含めて端末に伝送することができる。
【００８７】
基地局は、巡回生成多項式を用いてＣＲＣを生成し、ＣＲＣを、ＲＡＩＤ及びマスキング指示子０ｂ１を用いてマスキングすることができる。そして、１６ビットマスキングされたＣＲＣを含むＣＤＭＡ割当Ａ−ＭＡＰ  ＩＥを端末に伝送することができる。
【００８８】
端末は、ＣＤＭＡ割当Ａ−ＭＡＰ  ＩＥをデコーディングした後、巡回生成多項式を用いて１６ビットＭＣＲＣを計算する。そして、ＭＣＲＣを、自身のレンジング過程で生成されたＲＡＩＤ及びマスキング指示子０ｂ１を用いてマスキングすることができる。
【００８９】
端末は、ＭＣＲＣをマスキングして０が出ると、ＣＤＭＡ割当Ａ−ＭＡＰ  ＩＥが基地局から端末に伝送されたものであることを認知し、ＣＤＭＡ割当Ａ−ＭＡＰ  ＩＥの残りのフィールドを確認することができる。ＣＤＭＡ割当Ａ−ＭＡＰ  ＩＥのタイプ（例えば、割当タイプ（ａｌｌｏｃａｔｉｏｎ  ｔｙｐｅ））がレンジングを表すと、端末は、それを基地局が自身に伝送したものであることがわかる。もし、他のタイプ（例えば、帯域幅要請）を表すと、当該ＣＤＭＡ割当Ａ−ＭＡＰ  ＩＥを無視すればいい。
【００９０】
もし、端末がＭＣＲＣをマスキングして０が出ないと、ＣＤＭＡ割当Ａ−ＭＡＰ  ＩＥを無視すればいい。
【００９１】
上記の表３のような方式は、レンジング過程で生成されたＲＡＩＤでマスキングされるか、帯域幅要請過程で生成されたＲＡＩＤでマスキングされるかを、マスキング指示子が知らせず、それを知らせるフィールドがさらに伝送されなければならない。
【００９２】
下記の表４は、レンジングを試みた端末にリソースを割り当てるためのＣＤＭＡ割当Ａ−ＭＡＰ  ＩＥなのか、帯域幅要請を試みた端末にリソースを割り当てるためのＣＤＭＡ割当Ａ−ＭＡＰ  ＩＥなのかを知らせるフィールドが追加されたＣＤＭＡ割当Ａ−ＭＡＰ  ＩＥのフォーマットである。
【００９３】
【表４−１】
0005492976.tif 000005
【００９４】
【表４−２】
0005492976.tif 000006
図８は、本発明のさらに他の実施例であって、上述の本発明の実施例を実現できる移動端末及び基地局の構成を示す図である。
【００９５】
移動端末（ＡＭＳ）及び基地局（ＡＢＳ）は、情報、データ、信号及び／またはメッセージなどを送受信できるアンテナ１０００，１０１０、アンテナを制御してメッセージを伝送する送信モジュール（Ｔｘ  ｍｏｄｕｌｅ）１０４０，１０５０、アンテナを制御してメッセージを受信する受信モジュール（Ｒｘ  ｍｏｄｕｌｅ）１０６０，１０７０、基地局との通信と関連する情報を記憶するメモリー１０８０，１０９０、及び送信モジュール、受信モジュール及びメモリーを制御するプロセッサ１０２０，１０３０をそれぞれ備えることができる。
【００９６】
アンテナ１０００，１０１０は、伝送モジュール１０４０，１０５０で生成された信号を外部に伝送したり、外部から無線信号を受信して受信モジュール１０６０，１０７０に伝達する機能を果たす。多重アンテナ（ＭＩＭＯ）機能が支援される場合には、２個以上のアンテナが備えられてよい。
【００９７】
プロセッサ１０２０，１０３０は、通常、移動端末または基地局の全般的な動作を制御する。特に、プロセッサは、上述した本発明の実施例を行うための制御機能、例えば、上記の表２または３に表したマスキング指示子を用いてＣＲＣ／ＭＣＲＣをマスキングする動作を行うことができ、その他にも、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを果たすことができる。また、プロセッサ１０２０，１０３０は、種々のメッセージの暗号化を制御できる暗号化モジュール及び種々のメッセージの送受信を制御するタイマーモジュールをそれぞれさらに備えることができる。
【００９８】
伝送モジュール１０４０，１０５０は、プロセッサからスケジュールリングされて外部に伝送される信号及び／またはデータに所定の符号化（ｃｏｄｉｎｇ）及び変調（ｍｏｄｕｌａｔｉｏｎ）を行ってからアンテナ１０００，１０１０に伝達することができる。
【００９９】
受信モジュール１０６０，１０７０は、外部からアンテナ１０００，１０１０を介して受信した無線信号に複号（ｄｅｃｏｄｉｎｇ）及び復調（ｄｅｍｏｄｕｌａｔｉｏｎ）を行って原本データの形態に復元してプロセッサ１０２０，１０３０に伝達することができる。
【０１００】
メモリー１０８０，１０９０は、プロセッサの処理及び制御のためのプログラムを格納することもでき、入／出力されるデータ（移動局の場合、基地局から割り当てられたアップリンクグラント（ＵＬ  ｇｒａｎｔ）、システム情報、ステーション識別子（ＳＴＩＤ）、フロー識別子（ＦＩＤ）、動作時間（Ａｃｔｉｏｎ  Ｔｉｍｅ）、領域割当情報及びフレームオフセット情報など）を臨時記憶することもできる。
【０１０１】
また、メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの一つ以上のタイプの記憶媒体を含むことができる。
【０１０２】
上述した方法は、端末が巡回生成多項式を用いて計算した結果であるマスキングされたＭＣＲＣを、自身の端末ＩＤ及びマスキング指示子、あるいはＲＡＩＤ及びマスキング指示子でマスキングして得られた結果が０であるか否かによって、自身に伝送されたＡ−ＭＡＰ  ＩＥであるかを判断する。他の方法は、端末が巡回生成多項式を用いて計算した結果であるマスキングされたＭＣＲＣが、自身の端末ＩＤ及びマスキング指示子、あるいはＲＡＩＤ及びマスキング指示子と同一であるか否かによって、自身に伝送されたＡ−ＭＡＰ  ＩＥであるかを判断する。これらの方法のいずれかにするかは、端末メーカーによって決定される。
【０１０３】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例に係る制御データ送受信方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１０４】
ファームウェアやソフトウェアによる具現の場合、本発明の一実施例に係る  制御データ送受信方法は、以上で説明された機能または動作を行うモジュール、手順または関数などの形態とすることができる。例えば、ソフトウェアコードは、メモリーユニットに保存され、プロセッサにより駆動されてよい。メモリーユニットは、プロセッサの内部または外部に設けられて、公知の様々な手段によりプロセッサとデータを交換することができる。
【０１０５】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。なお、特許請求の範囲で明示的な引用関係を有しない請求項を結合して実施例を構成したり、出願後の補正により新しい請求項として含めることができるということは明らかである。
【図１】
0005492976.tif 000007
【図２】
0005492976.tif 000008
【図３】
0005492976.tif 000009
【図４】
0005492976.tif 000010
【図５】
0005492976.tif 000011
【図６】
0005492976.tif 000012
【図７】
0005492976.tif 000013
【図８】
0005492976.tif 000014